(57)【要約】【課題】熱風が通過する乾燥室の全域にわたって均一な風速分布を得ることは言うに及ばず、各ゾーン毎に任意の風速分布に調節可能で、且つ、省スペース型の熱風循環式乾燥機を提案することが課題である。【解決手段】体壁の対向する位置に開口部を設け且つ前記開口部にチャンバーをそれぞれ配した箱形筐体と、前記箱形筐体上部に設置した送風機と、前記箱形筐体の前記チャンバーと前記送風機の吸排気口とを通風管でそれぞれ接続し且つ空気加熱手段を設けた熱風循環式乾燥機において、前記箱形筐体の前記開口部に任意の風速分布に調節するため風量調節ダンパー、分散板及び仕切り板からなる風速分布調節手段を設けることを特徴とする風速分布任意調節・省スペース型熱風循環式乾燥機。【選択図】図１
2008122052.tif 000002
【特許請求の範囲】
【請求項１】
体壁の対向する位置に開口部（５ａ）（５ｂ）を設け且つ前記開口部（５ａ）（５ｂ）にチャンバー（６ａ）（６ｂ）をそれぞれ配した箱形筐体（２）と、前記箱形筐体（２）上部に設置した送風機（３）と、前記箱形筐体（２）の前記チャンバー（６ａ）（６ｂ）と前記送風機（３）の吸排気口（３ａ）（３ｂ）とを通風管（４ａ）（４ｂ）でそれぞれ接続し且つ空気加熱手段（１２ａ）（１２ｂ）を設けた熱風循環式乾燥機（１）において、前記箱形筐体（２）の前記開口部（５ａ）（５ｂ）に任意の風速分布に調節するため風量調節ダンパー（７ａ）（７ｂ）、分散板（８ａ）（８ｂ）及び仕切り板（９ａ）（９ｂ）（１０ａ）（１０ｂ）からなる風速分布調節手段を設けることを特徴とする風速分布任意調節・省スペース型熱風循環式乾燥機。
【請求項２】
空気加熱手段（１２ａ）（１２ｂ）に、温水を通水すると超音波を発生しながら空気を加熱することのできるパワーヒートパイプを設けることを特徴とする請求項１記載の風速分布任意調節・省スペース型熱風循環式乾燥機。
【発明の詳細な説明】
【技術分野】
【０００１】本発明は、産業分野や農業分野で一般的に使用されている比較的大規模の熱風循環式乾燥機の風速分布調節方法と省スペース技術に関するものである。
【背景技術】
【０００２】
【特許文献１】特許出願２００５−１３３０４４号公報
【特許文献２】特許出願２００２−１４３３３０号公報
【特許文献３】特許出願平１１−２０２６４２号公報
【特許文献４】特許出願平１０−３０８４５３号公報
【特許文献５】特許出願平９−０４４９４０号公報
【非特許文献１】登録実用新案第３０６２２１７号公報
【０００３】特許出願２００５−１３３０４４号公報は、ドットプリンター印刷用の乾燥機であってきわめて小規模の乾燥機に関する提案である。また、特許出願２００２−１４３３３０号公報は回分式流動層乾燥機の整流技術の提案であって静置型乾燥機とは異なる提案である。さらに、特許出願平１１−２０２６４２号公報も流動式乾燥機である。【０００４】特許出願平１０−３０８４５３号公報は静置型乾燥機に関する提案であるが、風速分布調節の具体的手段にまでは踏み込んでいない。また、特許出願平９−０４４９４０号公報も気流乾燥機ではあるが前者同様に風速分布調節の具体的手段にまでは踏み込んでいない。さらに、登録実用新案第３０６２２１７号公報は一見すると本発明と類似するように見えるが、棚段に並べた布団に熱風を通過せしめるため本発明とは本質的に異なる提案である。
【発明の開示】
【発明が解決しようとする課題】
【０００５】産業分野では、これまでいろいろな熱風循環式乾燥機が提案されているが、熱風が通過する乾燥室の全域にわたって精密且つ任意に風速を調節可能な乾燥機は提案されていなかった。本発明では、熱風が通過する乾燥室の全域にわたって均一な風速分布を得ることは言うに及ばず、各ゾーン毎に任意の風速分布に調節可能で、且つ、省スペース型の熱風循環式乾燥機を提案することが課題である。
【課題を解決するための手段】
【０００６】上述の課題を解決するため、請求項１の発明においては、体壁の対向する位置に開口部（５ａ）（５ｂ）を設け且つ前記開口部（５ａ）（５ｂ）にチャンバー（６ａ）（６ｂ）をそれぞれ配した箱形筐体（２）と、前記箱形筐体（２）上部に設置した送風機（３）と、前記箱形筐体（２）の前記チャンバー（６ａ）（６ｂ）と前記送風機（３）の吸排気口（３ａ）（３ｂ）とを通風管（４ａ）（４ｂ）でそれぞれ接続し且つ空気加熱手段（１２ａ）（１２ｂ）を設けた熱風循環式乾燥機（１）において、前記箱形筐体（２）の前記開口部（５ａ）（５ｂ）に任意の風速分布に調節するため風量調節ダンパー（７ａ）（７ｂ）、分散板（８ａ）（８ｂ）及び仕切り板（９ａ）（９ｂ）（１０ａ）（１０ｂ）からなる風速分布調節手段を設ける風速分布任意調節・省スペース型熱風循環式乾燥機であることを特徴とする。【０００７】請求項２の発明においては、空気加熱手段（１２ａ）（１２ｂ）に、温水を通水すると超音波を発生しながら空気を加熱することのできるパワーヒートパイプを設ける請求項１記載の風速分布任意調節・省スペース型熱風循環式乾燥機であることを特徴とする。
【発明の効果】
【０００８】本発明によって、熱風が通過する乾燥室の全域にわたって均一な風速分布を得ることは言うに及ばず、各ゾーン毎に任意の風速分布に調節可能で、且つ、従来の熱風循環式乾燥機に見られるような風の流れを整流するための角錐型通風管が不要となるため、風速分布任意調節・省スペース型熱風循環式乾燥機を提供することが可能となった。
【発明を実施するための最良の形態】
【０００９】［図１］本発明の具体的態様を示す風速分布任意調節・省スペース型熱風循環式乾燥機のＡ−Ａ立面断面図を、［図２］本発明の具体的態様を示す風速分布任意調節・省スペース型熱風循環式乾燥機の平面図を、［図３］本発明の具体的態様を示す風速分布調節機構を説明するためのＢ−Ｂ部分断面図を、［図４］風量調節ダンパーの固定金具の態様を説明するためのＣ−Ｃ部分断面図を、［図５］風量調節ダンパーの調節金具の態様を説明するための図面を、それぞれ示す。
【実施例】
【００１０】本発明の実施例の具体的態様を［図１］［図２］に基づいて説明する。
体壁の対向する位置に開口部（５ａ）（５ｂ）を設け且つ前記開口部（５ａ）（５ｂ）にチャンバー（６ａ）（６ｂ）をそれぞれ配した箱形筐体（２）と、前記箱形筐体（２）上部に設置した送風機（３）と、前記箱形筐体（２）の前記チャンバー（６ａ）（６ｂ）と前記送風機（３）の吸排気口（３ａ）（３ｂ）とを通風管（４ａ）（４ｂ）でそれぞれ接続し且つ空気加熱手段（１２ａ）（１２ｂ）を設けた熱風循環式乾燥機（１）において、前記箱形筐体（２）の前記開口部（５ａ）（５ｂ）に任意の風速分布に調節するため風量調節ダンパー（７ａ）（７ｂ）、分散板（８ａ）（８ｂ）及び仕切り板（９ａ）（９ｂ）（１０ａ）（１０ｂ）からなる風速分布調節手段を設けた。【００１１】次に風速分布任意調節方法を［図３］［図４］［図５］に基づいて説明する。
風量調節ダンパー（７ａ）の固定金具（１３）には複数個の短冊状マドが設けてあり、調節金具（１４）が配される。乾燥室内に所定ゾーンに大風量を供給したい場合には前記固定金具（１３）のマドと前記調節金具（１４）のマドとを重ね合わせ、逆に、小風量を供給したい場合には前記固定金具（１３）のマドを前記調節金具（１４）で閉じればよく、これによって各ゾーン毎に任意の風量に調節することができる。【００１２】本発明の実施例では、間口・奥行き・高さがそれぞれ３０００ｍｍ、３５００ｍｍ、２０００ｍｍの乾燥室を有する熱風循環式乾燥機において、前記乾燥機の左右に設けられた奥行き・高さがそれぞれ３５００ｍｍ、２０００ｍｍの風量調節ダンパー部をそれぞれ５００ｍｍ角に区切り、それぞれの区画に幅５０ｍｍ、高さ４００ｍｍのマド３個を配し、同様のマド３個を配した調節金具を取り付けて風量調節できるようにした。【００１３】また、分散板には開口率１０％の多孔板を用い、昭和電機株式会社製シロッコファン型式ＭＬＶ１８−Ｒ３Ｓ２ＡＭ（最大風量毎分４００立方メートル）により乾燥室内設計風速０．５ｍ／ｓｅｃとし、風速実測値は設計風速±５％以内のばらつきに収まった。【００１４】本発明の他の実施例について説明する。
他の実施例では、空気加熱手段（１２ａ）（１２ｂ）に、温水を通水すると超音波を発生しながら空気を加熱することのできるパワーヒートパイプを設け、乾燥機のランニングコストを５０％削減した。
【産業上の利用可能性】
【００１５】本発明によって、熱風が通過する乾燥室の全域にわたって均一な風速分布を得ることは言うに及ばず、各ゾーン毎に任意の風速分布に調節可能で、且つ、従来の熱風循環式乾燥機に見られるような風の流れを整流するための角錐型通風管が不要となるため、風速分布任意調節・省スペース型熱風循環式乾燥機を提供することが可能となり、あらゆる産業分野特に精密な風速分布制御を必要とする分野で絶大な効果を発揮することが期待できる。
【図面の簡単な説明】
【００１６】
【図１】本発明の具体的態様を示す風速分布任意調節・省スペース型熱風循環式乾燥機のＡ−Ａ立面断面図である。
【図２】本発明の具体的態様を示す風速分布任意調節・省スペース型熱風循環式乾燥機の平面図である。
【図３】本発明の具体的態様を示す風速分布調節機構を説明するためのＢ−Ｂ部分断面図である。
【図４】風量調節ダンパーの固定金具の態様を説明するためのＣ−Ｃ部分断面図である。
【図５】風量調節ダンパーの調節金具の態様を説明するための図面である。
【符号の説明】
【００１７】１      熱風循環式乾燥機
２      箱形筐体
３      送風機
３ａ    吸気口
３ｂ    排気口
４ａ    通風管
４ｂ    通風管
５ａ    開口部
５ｂ    開口部
６ａ    チャンバー
６ｂ    チャンバー
７ａ    風量調節ダンパー
７ｂ    風量調節ダンパー
８ａ    分散板
８ｂ    分散板
９ａ    仕切り板
９ｂ    仕切り板
１０ａ  仕切り板
１０ｂ  仕切り板
１１ａ  通風口
１１ｂ  通風口
１２ａ  空気加熱手段
１２ｂ  空気加熱手段
１３    固定金具
１４    調節金具
１５    ガイドレール
【図１】
2008122052.tif 000003
【図２】
2008122052.tif 000004
【図３】
2008122052.tif 000005
【図４】
2008122052.tif 000006
【図５】
2008122052.tif 000007